(57)【要約】【課題】操作画面と対話し、削除したい映像のシーンの画像を選択することにより、映像を再生せずに、ロールのＩＮ点、ＯＵＴ点を容易に決定して粗編集することができ、また、粗編集しながら、記録全体の素材長の確認が可能であり、さらに、挿入したい映像も簡単に挿入することができる映像編集方法を提供する。【解決手段】映像と音声とからなる映像情報入力手段と、映像情報記憶手段と、記憶映像情報編集手段と、編集情報生成手段と、編集情報保持手段と、編集情報表示手段とを有する映像編集システムに用いる映像編集方法であって、映像情報編集のうち、映像情報の分割点、削除開始点、削除終了点、挿入点の編集情報を記憶する映像編集方法において、表示手段に映像情報の音声波形を表示し、音声波形上に編集点に応じた表示位置を示す図形を表示し、図形の表示位置を変更可能とし、変更に応じて編集情報を変更し、変更された編集情報を保持する。【選択図】図１
2005278211.tif 000002
【特許請求の範囲】
【請求項１】
映像情報ソースの編集処理を行う映像情報の編集方法において、
複数の前記映像情報ソースの映像と音声の情報を記憶装置に記憶するステップと、前記記憶装置に記憶した映像情報と該映像情報に対応する音声信号の波形を表示装置の画面に表示するステップと、前記音声信号の波形から前記映像情報の分割点の候補を検出するステップと、前記分割点の候補および前記分割点の候補の前後に別の映像情報ソースを挿入する挿入点を設定するステップと、前記分割点の候補と前記挿入点を前記表示装置の画面に表示するステップとを有することを特徴とする映像編集方法。
【請求項２】
映像情報ソースの編集処理を行う映像編集装置おいて、
複数の前記映像情報ソースの映像と音声の情報を記憶装置に記憶する手段と、前記記憶装置に記憶した映像情報と該映像情報に対応する音声信号の波形を表示装置の画面に表示する手段と、前記音声信号の波形から前記映像情報の分割点の候補を検出する手段と、前記分割点の候補および前記分割点の候補の前後に別の映像情報ソースを挿入する挿入点を設定する手段と、前記分割点の候補と前記挿入点を前記表示装置の画面に表示する手段とを有することを特徴とする映像編集装置。
【発明の詳細な説明】
【技術分野】
【０００１】
本発明は、ランダムアクセスが可能な映像記録再生装置を使用した放送用編集システムにおいて、映像と音声とからなる映像情報が記録された番組素材をもとに、所要の要件の放送番組に編集され記録されて、所要の送出順序に従い出力される映像と音声の送出制御情報を、効率良く作成する映像編集方法に関するものである。
【背景技術】
【０００２】
テレビジョン放送を行なっている地上波テレビジョン局、衛星テレビジョン局、ケーブルテレビジョン局などの各放送局では、毎日、多くのテレビ放送番組の放送を行なっている。これらテレビ放送番組の中のドラマや映画などで用いられる番組素材の多くは、例えばドラマや映画などの製作会社から購入して放送するが、ドラマや映画などを放送する場合、一つの放送番組のドラマや映画などの途中を数回中断し、複数のテレビＣＭ（Commercial Message）で構成されたＣＭ枠を挿入して、放送を行なうことが多々ある。
【０００３】
このように、一つの番組素材（映像素材と音声素材とを含んでいる。）をいくつかの部分に分割する編集作業を行なうが、これをロール分割と呼んでいる。また、分割された番組素材のうち、分割された一つの部分をロールと呼び、ロール分割する編集作業をロール編集と呼んでいる。このロール編集では、例えば、購入した３０分間のドラマを、テレビ放送番組のオープニング、エンディング、ＣＭを含めて、３０分間の放送枠に割り当てる場合があるが、この場合は、番組素材を一部削除し短縮する編集を行なっている。また、テレビ放送番組で、ＣＭ映像の後に、そのＣＭ映像の直前の何秒間かに放送した映像（以下、特に記さないかぎり、映像は音声も含むものとする。）の部分と同一映像部分を再度繰り返して放送する場合がある。この場合は、ＣＭ挿入の後の位置に、ＣＭ直前の同一映像部分を再度放送するように編集を行なっている。
【０００４】
このようなロール編集作業を行なう従来の映像編集方法を、図３に示す編集システムの系統図を使用して説明する。ドラマや映画などの映像と音声とからなる映像情報を記録した映像素材３００は、ビデオテープあるいはフィルムに記録された形で入手され、この映像素材３００を放送枠に合うように短縮して放送をする必要があり、編集を必要とする。編集において、まず、映像素材３００の映像を、例えば磁気記録再生装置あるいはテレシネ装置のような映像再生機３０１を使用して再生させ、映像編集機３０３を介し映像モニタ３０４で再生した映像をモニタ（同様に音声については、スピーカ３０６でモニタ）して、ビデオテープあるいはフィルムに記録された映像を短縮するための削除可能な映像の位置を探し、削除可能な映像の位置のタイムコード、シーンの概要、時間長を机上で記録する。
【０００５】
一例として、映画を放送する２時間番組があるとする。映像ソースの映画は全部で１２０分であり、挿入するＣＭ映像が合計で１２分と決められているとすると、映像ソースの映画の映像から１２分の量の映像を削除してＣＭ映像の挿入区間を確保しなくてはならない。つまり映像ソースを１０８分に短縮するために、削除する部分を選択する必要がある。映像ソースの一部を削除し、またＣＭ映像を追加する編集を行って決まった時間長の１本の番組を作成する場合、映像の削除箇所とＣＭ映像の挿入箇所を決定する。ＣＭの挿入箇所は映像ソース中のどこでもよいわけでない。ロール分割点でＣＭ画像挿入することが視聴者への悪影響を最小限にするので望ましい。編集者は、映像ソースの再生画像を見ながら適切なロール分割点の位置を決める。ロール分割点では、映像ソースの流れが切断される。テレビの放送番組の中には、番組の時間内でのＣＭ映像の挿入箇所（時刻）が予め決まっているものがある。たとえば、番組の開始から２０分間の１ロールで映画を流し、その後に最初のＣＭ画像を３分間挿入し、その次に、映画の続きを１５分流すロールがあり、次に２回目のＣＭ画像を３分流すというような番組構成が決まっている場合がある。この場合は、ＣＭ画像挿入点は映画の内容の連続性とは無関係に決まり、ロール長（１ロールの素材長）がそれぞれ決められている。このようなロール長が決まっている番組映像の編集で、映像内容の連続性とは無関係に映像ソースの一部を削除して、そこにＣＭ画像を挿入した場合、削除して映像ソースが不連続になっている部分にＣＭ映像を挿入することにより、ＣＭ映像が緩衝期間の役目をはたして視聴者への違和感を少なくすることができる。編集者は、映像ソースの削除可能な位置に関する時間情報と、ＣＭ映像後の繰り返し映像の時間長とに基づき、所定のロール長を考慮して、適切なロール分割点を決定する。
【０００６】
そして、上記検討により削除する映像の位置と、時間長と、ロール分割点とが決定されたならば、映像素材３００の編集作業を行い、ロール分割された記録テープ３０２を作成する。編集作業は、まず、映像素材３００の映像を映像再生機３０１を使用して再生させモニタ３０４に映す。映像編集機３０３を介して、再生した映像を映像記録機３０５に送りそれを記録テープ３０２に記録する。つぎに、モニタ３０４に再生されている映像素材３００が、削除する映像の初めの位置まできたならば、映像記録機３０５を停止させたままで、削除する一連の映像の終わりの位置まで、映像素材３００を進ませる。削除する映像の終わりの位置で、映像記録機３０５を動作させ映像素材３００をふたたび再生させ、記録テープ３０２への記録を再開する。ロール分割点から先の記録を、別の記録テープ３０７に記録する場合は、映像素材３００の再生が進み、再生位置がロール分割点にきたときに、記録テープ３０２を別な記録テープ３０７に入れ換える。
【０００７】
また、ロール分割点の後に、ロール分割点直前の映像と同一映像の記録をする編集の場合は、映像再生機３０１を動作させ、映像素材３００を、同一映像を再生させる開始点まで巻き戻す。また、ロール分割点で、映像を削除させる編集の場合は、映像素材３００を巻き戻した位置からロール分割点の停止させた位置まで再生させ、記録テープ３０２に記録する。そして、ふたたび映像記録機３０５を停止させ、削除する映像を記録しない。また、映像を削除短縮させない編集の場合は、前記の巻き戻した位置より映像素材３００を再生させて、映像を記録する。上記動作を、種々組合せて、映像素材３００の最後まで繰返し、削除すべき映像がすべて削除され、ロール分割された記録テープ３０２を作成することで編集が完了する。
【特許文献１】特開平２−１８４１８１号公報
【発明の開示】
【発明が解決しようとする課題】
【０００８】
従来技術による映像編集方法では、一度、記録テープを作成し、編集を終了したものを後から一部を訂正するときは、訂正箇所から後の部分を、すべて編集し直し、記録テープを再作成しなければならなかった。したがって、作業者は、編集操作に先立って、映像を削除する箇所や時間長をすべて机上で検討し終えてから、編集作業に入らなければ効率的に編集作業を行なうことができず、後からの修正は融通が効かないという問題があった。さらに、編集箇所を検討するために、作業者は映像素材の映像を再生させて、映像を目で確認する必要がある。また、大まかに編集する箇所を検討する場合には、映像の全体的な流れを確認するため、映像素材の再生速度をあげることにより、作業時間を短縮することは可能であるが、目で確認できる再生速度は、ある程度限られてくる。また、編集において、指定した複数のロール分割点それぞれに、同一の特定の映像を挿入する場合、映像を再生しながら同一の特定の映像を分割点毎にその都度挿入する必要があり、そのため、挿入箇所が多いほど作業が多くなる。また、複数の分割点の特定の映像を他の同一の映像と入れ替えたい場合も、すべての箇所で入れ替え作業を行なわなくてはならない。
【０００９】
本発明は、前記問題点を解決し、ランダムアクセスが可能な映像記録再生装置を使用した編集システムにおける編集において、編集作業者が、操作画面と対話し、削除したい映像のシーンの画像を選択することにより、編集中は記録テープに映像を記録せずに、ロールのＩＮ点、ＯＵＴ点を容易に決定して粗編集することができ、また、粗編集しながら、記録全体の素材長の確認が可能であり、さらに、挿入したい映像も簡単に挿入することができる映像編集方法およびその方法の手順を記録した記録媒体を提供することを目的とする。
【課題を解決するための手段】
【００１０】
本発明による映像編集方法は、映像情報ソースの編集処理を行う映像情報の編集方法において、複数の映像情報ソースの映像と音声の情報を記憶装置に記憶するステップと、記憶装置に記憶した映像情報と映像情報に対応する音声信号の波形を表示装置の画面に表示するステップと、音声信号の波形から映像情報の分割点の候補を検出するステップと、分割点の候補および分割点の候補の前後に別の映像情報ソースを挿入する挿入点を設定するステップと、分割点の候補と前記挿入点を前記表示装置の画面に表示するステップとを有すること。
【００１１】
本発明による映像編集装置は、映像情報ソースの編集処理を行う映像編集装置おいて、複数の映像情報ソースの映像と音声の情報を記憶装置に記憶する手段と、記憶装置に記憶した映像情報と映像情報に対応する音声信号の波形を表示装置の画面に表示する手段と、音声信号の波形から映像情報の分割点の候補を検出する手段と、分割点の候補および分割点の候補の前後に別の映像情報ソースを挿入する挿入点を設定する手段と、分割点の候補と挿入点を表示装置の画面に表示する手段とを有すること。
【００１２】
本発明による映像情報の編集方法は、映像情報ソースの分割と削除及び該映像情報ソースの映像に別の映像情報を挿入する処理を含む編集処理をコンピュータとユーザが対話しながら実行される。映像情報ソースの映像と音声の情報及び別の映像情報とを含む映像情報がランダムアクセス可能な記憶装置に格納される。記憶装置に格納した映像情報と該映像情報に対応する音声信号の波形が表示装置の画面に表示される。編集処理を施される映像情報中の編集位置が音声信号の波形と関連付けて特定の図形により画面に表示される。ユーザの指示に応じて、編集位置が画面上で変更される。編集位置および変更された編集位置に関する情報が編集情報として記憶装置に格納される。
【００１３】
また、前述の課題を解決するために、本発明は、映像と音声とからなる映像情報を入力する手段と、入力された映像情報を記憶する手段と、記憶された映像情報を編集する手段と、上記編集手段の編集内容を表す編集情報を生成する手段と、前記編集情報を保持する手段と、前記編集情報を表示する表示手段とを有する映像編集システムに用いる映像編集方法であって、前記映像情報編集のうち、少なくとも分割、削除、挿入編集における前記映像情報の分割点、削除開始点、削除終了点、挿入点の編集点に関わる情報を編集情報として記憶する映像編集方法において、前記表示手段に前記映像情報の音声の波形を表示し、該音声波形上に前記編集点に応じた表示位置を示す図形を表示し、該図形の表示位置を変更可能とし、該変更がなされた場合に、該変更に応じて前記編集情報を変更し、該変更された編集情報を保持するものである。さらに本発明は、前記保持された編集情報にもとづいて、前記編集された映像情報の映像時間長を前記表示手段に表示するものである。さらに本発明は、前記挿入点に挿入される挿入映像情報と、該挿入点とを関連づけて前記表示手段に表示するものである。また、本発明は、上述の映像編集方法を含む手順が記録された記録媒体とするものである。
【発明の効果】
【００１４】
本発明によれば、ランダムアクセスが可能な映像記録再生装置を使用した編集システムにおける編集において、編集作業者が、操作画面と対話し、削除したい映像のシーンの画像を選択することにより、映像を再生せずに、ロールのＩＮ点、ＯＵＴ点を容易に決定して粗編集することができ、また、粗編集しながら、記録全体の素材長の確認が可能であり、さらに、挿入したい映像も簡単に挿入することができる映像編集方法およびその方法の手順を記録した記録媒体を提供することができる。
【発明を実施するための最良の形態】
【００１５】
放送用編集システムにおいて、テレビ放送番組を編集するための、本発明の映像編集方法の実施の形態を、図面を参照して説明する。なお、放送用編集システムを使用し、本発明の映像編集方法により編集する映像は、音声を伴ったものであるが、特に説明として必要でないかぎり、映像としての説明のみとする。図５は、本発明の映像編集方法を実施する放送用編集システムの系統図である。編集システムは、ビデオテープ、フィルム、ビデオディスク等の映像と音声とからなる映像情報を記録した映像素材３００を再生するための映像再生機３０１、映像を記録するための映像記録再生装置５０３、映像再生機３０１で再生した映像をモニタするための映像モニタ３０４、映像再生機３０１で再生した音声をモニタするためのスピーカ３０６、編集システムを制御するシステム制御コンピュータ５０４で構成されている。
【００１６】
システム制御用コンピュータ５０４は、制御プログラムに従って命令を実行するＣＰＵ５１１と、制御プログラムを格納するメモリ５１２と、外部装置との信号のやり取りをする入出力インタフェース５１３とを含む一般的なマイクロコンピュータやＤＳＰなどで実現できる。なお、コンピュータ５０４は、処理デー夕を格納するメモリ（図示せず。）を含むこともできる。コンピュータ５０４のメモリ５１２は、コンピュータ内部に配置された半導体メモリや、あるいはコンピュータ外部に設置された磁気ディスク装置あるいは光ディスク装置などで読み取りが可能な記憶媒体などである。以下に説明する編集処理の実施例では、編集者がコンピュータと対話しながら行う。コンピュータ５０４は編集処理プログラムをメモリ５１２から読み出し、編集者が入力した情報に応じて処理プログラムを実行し、その処理結果をディスプレイに表示する。
【００１７】
また、システム制御コンピュータ５０４に接続されている周辺装置として、モニタディスプレイ５０７、キーボード５０８、マウス５０９、音声波形データ用ファイル５０６、画像データ用ファイル５０５、送出順序情報ファイル５１０がある。
【００１８】
次に、図５のシステムブロック図と図９のフローチャートを参照して映像素材をランダムアクセス記録媒体に記録する手順について説明する。映像ソースの製作会社から購入したドラマや映画などの映像素材３００の記録を、ステップ３０２で例えばハードディスクを使用した、ランダムアクセスが可能な映像記録再生装置５０３に記録開始する。記録媒体はランダムアクセスが可能であれば他のメモリ装置、例えば、光ディスクや半導体メモリでもよい。この映像記録再生装置５０３に映像素材３００の映像を記録する際に、システム制御コンピュータ５０４は、映像素材３００から映像信号を取り込む。映像記録再生装置５０３は、取り込まれた映像信号を記録する間に、ステップ３１でシステム制御コンピュータ５０４は、記録する映像のシーンの変化点を検出し、ステップ３２で検出した映像シーンの変化点の画像にタイムコードデータを付加して、ステップ３３でそれらを画像データ用ファイル５０５へ出力し、画像データ用ファイル５０５がそれらを記録する。なお、映像のシーンの変化点とは、映像のカットの変わり目のことであり、シーンは１個以上のカットからなっている。
【００１９】
映像シーンの変化点の検出方法としては、特開平２−１８４１８１号公報に開示された、音声信号の解析により検出する方法や、特開平５−２９０５４９号公報に開示の音声認識あるいはノイズレベルに基づく検出方法などが利用できる。また、特開平９−２００６８７号公報に開示された音声が所定時間無い期間の映像を分割候補点とする方法も利用できる。
【００２０】
また、映像記録再生装置５０３での記録の間に、コンピュータ５０４は、映像信号に付随する音声信号をステップ３４でサンプリングする。サンプリングした音声データを音声波形データ用ファイル５０６に記録する。映像記録再生装置５０３に映像素材３００のすべての映像の記録が終了した後（ステップ３５）から、編集が必要な場合は、システム制御用コンピュータ５０４で用いられるグラフィカル・ユーザ・インタフェイス（以下、ＧＵＩと記す。）の機能を利用して、編集システムを操作することにより、編集をすることができる。ＧＵＩを使用した各種編集操作は、システム制御コンピュータ５０４に接続されているモニタ５０７に表示された操作画面を、キーボード５０８、マウス５０９を操作して行なわれる。例えば、画面上のボタンを押す操作は、マウス５０９で、カーソルを所要のボタン表示位置に重ねて、マウス５０９のスイッチを押す操作、すなわち、クリック操作でもってボタンを押す操作となる。
【００２１】
まず、映像素材３００に記録されている映像情報のどの位置を、どれだけ削除するかを大まかに決定して、全体的な映像の流れを確認するための粗編集を行なう。編集作業を始めるに当たり、モニタディスプレイ５０７上に、図１に示す操作画面１０を表示する。操作画面１０には、映像記録再生装置５０３での映像の記録と同時に検出した映像シーンの変化点の画像１００が、検出した順序でもって、画像１００−１から１００−２、１００−３・・・１００−６と表示可能な数だけ表示されている。このシーンの変化点の画像１００が持つ奥行き表現（奥行き）１０９は、画像１００の下側に数字で表示されているシーン長１０２の量を表現しており、シーン長が長いときは、奥行きが長くなっているため、シーン長が視覚的に理解できるようになっている。なお、初期状態では、音声波形１０３は表示されていない。
【００２２】
分割点候補の抽出には、特開平９−２００６８７号公報に開示された無音区間の検出を利用する方法が使用される。無音状態がある程度連続する場合は、映像の内容が切り替わる場面である場合が多い。音声信号の再生レベルがある所定値以下（実質的な無音）になる状態が所定時間続くと無音区間と判定し、その無音区間の映像を分割点候補にするものである。
【００２３】
操作画面１０の無音検出ボタン１１１を押す（マウス５０９で選択する。以下、同じ。）と、図８に示す、無音区間検出設定ウィンドウ８０が操作画像１０上にポップアップ表示され、この無音区間検出設定ウィンドウ８０でＧＵＩの操作をすることにより、操作者は無音区間を検出する設定を行なうことができる。
【００２４】
この無音区間検出の設定は、無音区間検出設定ウィンドウ８０の無音区間判定基準の設定欄８０１に、キーボード５０８から無音区間と判定する時間長を入力し指定するもので、これは、無音区間判定基準の設定欄８０１に指定した時間長以下の無音区間は、無音区間として検出しないということである。無音区間を検出する区間を指定する場合は、その区間の開始位置のタイムコードを検出区間の設定欄８０２に、終了位置のタイムコードを検出区間の設定欄８０３に、キーボード５０８から入力し指定する。
【００２５】
図１０に無音状態の検出による分割候補点の自動決定のフローチャートを示す。システム制御コンピュータ５０４は、音声信号レベルの検出器（図示せず）と信号比較回路（図示せず）とを有する。コンピュータ５０４は、ステップ５１において、検出した音声信号のレベルとあらかじめ設定した閾値とを比較して、閾値以下となっている時間をカウントし、カウント値が編集者の入力した基準値を越えた時を分割候補点とする。なお、分割点候補の検出方法として、音声信号の特徴を検出する他の方法も可能である。例えば、座談会のような会話が中心の番組素材では、その音声信号の周波数帯はおおよそ３００〜３，４００Ｈｚの範囲に集中する。また、コンサートの録画のような番組素材では、音声信号はより広い周波数範囲にエネルギ成分が分布する。従って、音声信号の中に特定の周波数帯の成分が少なくなるか、別の周波数帯に変化した場合を検知することによりシーンの切れ目を検出でき、それが分割点の候補となりうる。例えば、音声信号を３００〜３，４００Ｈｚのバンドパスフィルタを通過させてその出力レベルを基準値と比較して、基準値以下の出力レベルが一定期間持続した場合を分割候補点とすることができる。また、背景音に特定の音声が重畳されている場合には、重畳されている音声成分の音質を検出して、音質が変化してそれが一定時間持続した場合を分割候補点とすることもできる。
【００２６】
つぎに、検出ボタン８０４を押すと、ステップ５１においてシステム制御コンピュータ５０４は、音声波形データ用ファイル５０６に記録した音声波形データをもとに、映像記録再生装置５０３に記録した音声の指定された区間の無音区間を検出する。図１の画面１０内に、最初に検出した無音区間および前後の音声波形１０３と、この音声波形１０３上に無音区間を示す図形１０８（ハッチング）が表示される。図形１０８は、その輝度や色を他の領域とは違う状態とすることで表示される。
【００２７】
この操作の例においては、無音区間を検出し表示しても、検出した無音区間に対して何も行なわず、つぎの無音区間を検出したい場合は、さらに図８の検出ボタン８０４を押すことにより、つぎの無音区間を検出し同様に表示する。検出され表示されている無音区間に対して編集作業を行なう場合は、まず、図８の閉じるボタン８０５を押し、無音区間検出設定ウィンドウ８０を閉じてから、編集作業を行なう。ステップ５２において、図１の無音区間を示す図形１０８の横幅の大きさや位置を変更することができる。マウス５０９を用いて図形１０８をドラッグすることで、画面上でカーソルを重ね選択されている図形の位置を移動させることができる。すなわち編集者はマウスの手動操作でもって、無音区間の位置であって、切り取り対象となる位置の微調整ができる。そして、無音区間の映像を削除する編集作業の場合は、ステップ５３において切り取りボタン１１２を押すことで無音区間を削除でき、無音区間に対応する映像情報の区間も削除される。
【００２８】
切り取り位置の微調整をするときに、音声波形を拡大表示して、さらに細かい位置の設定を行ないたい場合は、図１の画面の目盛１２０にカーソルを重ねてマウス５０９のスイッチをダブルクリックすると、操作画面１０上に、図６に示す、音声波形目盛設定ウィンドウ６０がポップアップ表示され、この目盛設定ウィンドウ６０で目盛の幅を設定することができる。この目盛の幅設定は、目盛設定ウィンドウ６０上で、ある時間長を、図１の画面１０上においていくつの長さで表現するかを指示するもので、画面１０上の長さの値を、図６の目盛りの設定欄６０３に、および時間長でいくつにするかを目盛りの設定欄６０４に、所要の値をキーボード５０８から入力する。同様に、図１の画面１０の目盛１２０をどれくらいの間隔で表示するかを、図６の目盛り表示の設定欄６００に、所要の値をキーボード５０８から入力する。
【００２９】
設定が終了したらＯＫボタン６０１を押すことにより、設定結果が図１の音声波形１０３に反映さ表示される。
このほかに、無音区間は比較的時間が短いため、無音区間の削除だけでは映像短縮が効果的になされない場合は、あるシーンを削除して長い時間分の映像を短縮させる方法がある。この方法は、前述した、操作画面１０（図１参照）に表示されている、映像の記録時に取得したシーンの変化点の画像１００−１〜１００−６を使用して操作する。図１１にそのフローチャートを示す。ステップ７１で削除するシーンの画像を、マウス５０９でダブルクリックすると、その画像が選択状態になる。つぎにステップ７２で音声波形ボタン１１０を押すと、削除するシーンの音声波形１０３が表示される。表示された音声波形１０３上に、削除される位置の範囲が図形１０６（ハッチング）で示される。ステップ７３で、この図形１０６は、無音区間を示す図形１０８の場合と同様に、マウス５０９でドラッグすることにより、手動で位置や大きさを微調整することができる。ステップ７４で、切り取りボタン１１２を押し下げて微調整された図形１０６の区間の映像と音声が削除される。
【００３０】
このようにして粗編集が終了したら、粗編集された映像素材全体の素材長（ロール長）がロール長表示ウィンドウ１１８に表示されて、その表示の値を確認しながら、さらに、ロール分割点を決定するとともに、全体的なより細かい調整をすることができる。また、映像をノーカットで放送する場合は、削除する編集は必要ないので、ロール分割点だけを決定することができる。ロール分割点の決定は、図１の分割点ボタン１１３を押し、ロール分割位置を指定することで行なわれる。図１２にロール分割位置決定の編集処理フローチャートを示す。
【００３１】
ステップ９１において、最初のＩＮ点が設定される。最初のＩＮ点は、原則的に素材映像の先頭に自動的に設定される。素材映像の先頭が削除編集されている場合には、削除された素材映像の先頭が最初のＩＮ点に設定される。
【００３２】
ステップ９２で例えば図１に示す画像１００−４をマウス５０９でダブルクリックして選択する。次にステップ９２でさらに分割点ボタン１１３を押すと、画像１００−４が含まれるシーンと、画像１００−４のシーンの一つ前のシーン（画像１００−３の最後のフレーム）の変わり目をロール分割点と設定することができる。
【００３３】
ステップ９４において、分割点が削除される区間の先頭位置かあるいはその後ろの位置かどうかが判定される。ステップ９４でＹＥＳであれば、ステップ９５において、削除される区間の先頭をＯＵＴ点とし、該区間の後ろをＩＮ点と設定する。ステップ９４で分割点が削除される区間の先頭位置でも後ろの位置でもないと判定された場合には、ステップ９６で、分割点をＩＮ点とＯＵＴ点の共通位置として設定する。
【００３４】
そして、音声波形１０３上に、ロール分割位置のＩＮ点を示す直線１０５、ロール分割位置のＯＵＴ点を示す直線１０４、または、ある一点がＯＵＴ点とＩＮ点の共通点であることを示す直線１１９が表示される。
【００３５】
マウス５０９を使用して直線１１９をドラッグすることにより、このＩＮ点とＯＵＴ点の共通点を示す１本の直線１１９を、互いに異なる位置のＩＮ点とＯＵＴ点を示す２本の直線に変更することができる。すなわち、ＩＮ点とＯＵＴ点の共通点をＩＮ点とＯＵＴ点とが別々の位置に変更できる。（ステップ９７）
なお、上述の直線１０４、１０５、１１９は、音声波形上の位置を示すことができる図形であれば、直線に限らず他の記号でも良い。以下に記述される直線についても同様である。なお、ＩＮ点とは一連の映像からなるロールの始まりを示し、ＯＵＴ点とはロールの終わりを示す。
【００３６】
通常は、ＣＭ挿入点となるロールの分割点、すなわち前のロールのＯＵＴ点と、つぎのロールのＩＮ点は、同位置（隣接）であるが、そうでない場合もある。例えば、画像１００−４を選択して、分割点ボタン１１３を押すと、画像１００−４は、削除されるシーンの画像なので、ロールのＯＵＴ点は、削除される映像の直前の位置となり、図形１０６の左にＯＵＴ点を示す直線１０４が表示される。（ステップ９５）つぎのロールのＩＮ点は、削除されたシーン直後となり、図形１０６の右にロールのＩＮ点を示す直線が表示される。（ステップ９５）
その他にも、無音区間を示す図形１０８（ハッチング）を選択して、分割点ボタン１１３を押すと、削除される映像を挾む両端位置に、ＯＵＴ点とＩＮ点が設定される。（ステップ９５）
また、挿入したＣＭの直後に、ＣＭの直前の映像を再度挿入する場合は、図には示されていないが、ロールのＩＮ点１０５を、前ロールのＯＵＴ点１０４より前に設定する。ロール長の表示も、重複した映像の時間長を加算して、ロール長表示ウィンドウ１１８に表示される。
【００３７】
ステップ９７では、画面の音声波形上でＩＮ点とＯＵＴ点を必要に応じてマウス５０９の操作により変更することができる。すなわち、ＩＮ点の線１０５とＯＵＴ点の線１０４で囲まれた図形（ハッチング）は無音区間を示す図形１０８と同様に、マウス５０９でドラッグすることによりその位置を微調整することができる。
【００３８】
また、設定したロール分割点を取り消したい場合は、設定した分割点を示す直線１０４、１０５、あるいは１１９を、マウス５０９で音声波形１０３の枠外へドラッグすると消去される。このとき、ＯＵＴ点を示す直線１０４を枠外へドラッグすると、自動的に対応するＩＮ点を示す直線１０５も消去される。同様に、ＩＮ点を示す直線１０５を枠外へドラッグすると、対応するＯＵＴ点を示す直線１０４が消去され、ロール長表示ウィンドウ１１８にも、自動的に反映され表示内容が変更される。また、ロール長表示ウィンドウ１１８を使用して、直接ロール長をキーボード５０８から入力すると、ロール分割点を設定することが可能である。ロール長表示ウィンドウ１１８のロール長が記されているロール長欄７００（図７参照）に、キーボード５０８より値を入力すると、音声波形１０３上で対応するＩＮ点、ＯＵＴ点を示す直線１０４、１０５、１１９が、入力されたロール長に変更した位置に表示される。
【００３９】
ステップ９８で、編集対象のすべてのロール分割位置が決定されたかどうか判定する。全てのロール分割位置が決定されるまでステップ９２〜９８を繰り返す。ステップ９９では、番組の最後のロールのＯＵＴ点を投定する。最後のＯＵＴ点は、通常は素材の最後の位置に設定される。素材の最後が編集で削除されている場合には、削除された素材の最後の位置が最後のＯＵＴ点となる。
【００４０】
また、挿入したＣＭの前あるいは後に、放送される番組に付随する固有の映像（例えば番組の案内）を挿入する場合は、図１の挿入設定ボタン１１６を押すと、図２に示す挿入操作ウィンドウ２０がポップアップ表示される。挿入される映像は、上述の編集している番組素材と同じ記録媒体に、あらかじめ記録されている。モードの選択パネル２０３上で、ロールごとに挿入点を設定（単独設定）することや、ロールとロールの間に挿入されるＣＭ、すなわち中ＣＭが挿入される挿入点（ロール分割点）を一度にすべて設定するなどとして、挿入設定を指定する。そして、モード選択パネル２０３上で、オプションボタン群２０７の中から、指定したい項目のオプションボタン２０８を一つ選択し、マウス５０９でクリックすると、指定された項目のオプションボタン２０８がＯＮになり、オプションボタン群２０７の中のそれ以外の項目は自動的にＯＦＦとなる。
【００４１】
この挿入映像の挿入位置（挿入点）は、前記と同様にモード選択パネル２０３上で、オプションボタン群２０９の中から、ロールの最後か最初か、例えばロールの最初であればオプションボタン２１０をマウス５０９でクリックすることにより指定される。以上のように挿入位置を指定したら、つぎに、挿入映像をリスト２０４より選択する。挿入映像リスト２０４には、挿入映像素材の識別符号（ＩＤ）と名前が表示されているので、挿入したい映像の欄をマウス５０９でクリックすると、ウィンドウ２０上に挿入映像のカットの画像２０６が表示される。また、以後、ロール長を計算するうえで、挿入映像素材の素材長をロール長に加算して計算したい場合は、「素材長をロール長に加算」のチェックボックス２０５を、マウス５０９でクリックする。ＯＮ状態であればチェックボックスに、チェックマークが付き、ＯＮ状態でクリックすると、再びＯＦＦ状態になり、チェックマークが消える。上述の編集作業を完了し、編集結果に問題がない場合は、図１の操作画面１０上の完了ボタン１１７を押すことで、システム制御コンピュータ５０４が、図４に示す送出順序情報４０を作成し、送出順序情報ファイル５１０に記録する。
【００４２】
図４に示す送出順序情報４０は、ある１つのロールの終わりに挿入映像が挿入設定された例である。この送出順序情報４０には、映像記録再生装置５０３に記録したときの編集対象映像ＩＤ番号４０１、各ロール毎に付けられたロール番号４０２、各ロールの送出位置と送出順序情報４０３と、挿入映像ＩＤ４０４とが所定の順に記載されている。なお、作成された送出順序情報４０に変更あるいは修正を加える場合は、送出順序情報ファイル５１０に記録されているこの送出順序情報４０をもとに、図１に示す操作画面１０が再び呼び出され、操作画面１０上で修正する個所だけを、設定時と同様に操作し、変更作業を行なう。変更あるいは修正の終了後は、再び図１の完了ボタン１１７を押すと、送出順序情報４０が変更操作に従って更新され、再び送出順序情報ファイル５１０に記録される。以上の操作によりロール編集したテレビ放送番組を放送する場合は、送出順序情報ファイル５１０に記録されている送出順序情報４０のもとに、映像記録再生装置５０３に記録されている映像が映像送出装置（図示されていない。）へ直接出力され、放送される。（編集された映像を映像記録再生装置５０３に記録後は、記録された映像を別の記録媒体にダビングすることなく出力される。）
以上の編集処理全体のフローチャートを図１３に示す。ステップ１３１で、素材がランダムアクセス記録媒体に記録される。ステップ１３２で、素材の削除位置が決定される。ステップ１３３で、ロール分割位置が決定される。ステップ１３４で番組に付随する固有の映像（番組予告等）の挿入箇所を決定する。ステップ１３５で、画面上の音声波形を見ながら削除位置や分割位置などの設定を微調整し、設定結果を確認する。ステップ１３６で編集処埋された映像の送出順序情報を作成する。
【００４３】
上述した映像編集方法が用いられる映像編集システムは、図９〜図１３を参照して説明した映像編集方法の手順がコンピュータが読み取り可能なコードの形式で記録媒体に記録されているものである。なお、この映像編集方法の手順が記録された記録媒体は、半導体メモリ、磁気テープ、磁気ディスクあるいは光ディスクなど種々な形態を用いることができるものである。
【図面の簡単な説明】
【００４４】
【図１】本発明の映像編集方法の操作画面の表示例。
【図２】本発明の挿入操作ウィンドウの画面の表示例。
【図３】従来の映像編集方法を実施する放送用編集システムの系統図。
【図４】本発明の編集された映像の送出順序情報の表示例。
【図５】本発明の映像編集方法を実施する放送用編集システムの系統図。
【図６】本発明の音声波形目盛設定ウィンドウの画面の表示例。
【図７】本発明のロール長表示ウィンドウの画面の表示例。
【図８】本発明の無音区間検出設定ウィンドウの画面の表示例。
【図９】素材データをハードディスク記憶装置に記録する処理のフローチャート。
【図１０】無音区間の映像を削除する処理のフローチャート。
【図１１】所望のシーンを削除する編集処理のフローチャート。
【図１２】ロール分割位置を決定する処理のフローチャート。
【図１３】本発明の実施例の番組編集処理のフローチャート。
【符号の説明】
【００４５】
１０：映像編集を行う操作画面、２０：挿入操作ウィンドウ、４０：送出順序情報、６０：目盛設定ウィンドウ、８０：無音区間検出設定ウィンドウ、１００：シーンの変化点の画像、１０１：タイムコード、１０２：シーン長、１０３：音声波形、１０４：ロールのＯＵＴ点を示す直線、１０５：ロールのＩＮ点を示す直線、１０６：削除される区間の図形、１０８：無音区間を示す図形、１０９：シーン長を表現する奥行き、１１０：音声波形ボタン、１１１：無音検出ボタン、１１２：切り取りボタン、１１３：分割点ボタン、１１５：ＰＲＥＶＩＥＷボタン、１１６：挿入設定ボタン、１１７：完了ボタン、１１８：ロール長表示ウィンドウ、１１９：ロールのＯＵＴ点、ＩＮ点を示す直線、１２０…目盛。３００：映像素材、３０１：映像再生機、３０４：映像モニタ、３０６：スピーカ、５０３：映像記録再生装置、５０４：システム制御コンピュータ、５０５：画像データ用ファイル、５０６：音声波形用データファイル、５０７：モニタディスプレイ、５０８：キーボード、５０９：マウス、５１０：送出順序情報ファイル。
【図１】
2005278211.tif 000003
【図２】
2005278211.tif 000004
【図３】
2005278211.tif 000005
【図４】
2005278211.tif 000006
【図５】
2005278211.tif 000007
【図６】
2005278211.tif 000008
【図７】
2005278211.tif 000009
【図８】
2005278211.tif 000010
【図９】
2005278211.tif 000011
【図１０】
2005278211.tif 000012
【図１１】
2005278211.tif 000013
【図１２】
2005278211.tif 000014
【図１３】
2005278211.tif 000015